【事件の表示】
　特願２０１３−　８３２６１「鮎釣用曳舟」拒絶査定不服審判事件〔平成２６年１０月３０日出願公開、特開２０１４−２０４６８１〕について、次のとおり審決する。
【結　論】
　本件審判の請求は、成り立たない。
【理　由】
第１　手続の経緯
　本願は、平成２５年４月１１日の出願であって、平成２９年１月１３日付けで拒絶理由が通知され、これに対して、同年３月２１日に意見書及び手続補正書が提出され、さらに同年６月１４日付けで拒絶理由が通知され、これに対して、同年８月１８日に意見書及び手続補正書が提出され、その後、同年１２月２１日付けで拒絶査定がなされ、同査定の謄本は平成３０年１月９日に請求人に送達された。これに対して、同年４月３日に拒絶査定不服審判の請求がなされ、同時に手続補正書が提出され、これに対して、平成３１年２月８日付けで拒絶理由が通知され（発送日同年２月１２日）、これに対して、同年４月１２日に意見書及び手続補正書が提出されたものである。
第２　本願発明
　本願の請求項１ないし４に係る発明は、平成３１年４月１２日の手続補正書により補正された特許請求の範囲の請求項１ないし４に記載された事項により特定されるものであって、請求項１に係る発明（以下、「本願発明」という。）は次のとおりのものである。
「【請求項１】
　内部に収容室が区画され且つ上記収容室に連通する開口が上面に設けられた曳舟本体と、
　上記開口の位置に設けられ、上記開口及び上記収容室に連通する鮎挿入口が形成された環状の蓋体と、
　上記蓋体に設けられ、上記曳舟本体の前後方向を基準に左右対称に回動することによって上記鮎挿入口を開放する開放姿勢と上記鮎挿入口を閉鎖する閉鎖姿勢との間で観音開き式に姿勢変化する第１扉部材および第２扉部材を有する扉とを備え、
　上記第１扉部材および上記第２扉部材が上記閉鎖姿勢であるときに上記扉の上面に前方から後端に向かって漸次上記収容室側へ傾斜する案内凹面が形成され、
　上記蓋体の後端部は、上記案内凹面上に迫り出したひさしを形成し、
　上記案内凹面は、
　水平に延びる平坦面と、
　当該平坦面に連続して漸次上記収容室側に向かって後端側へ傾斜すると共に上記第１扉部材と上記第２扉部材とが対向する対向面側へ傾斜し、上記蓋体の後端部と協働して鮎を保持しつつ上記収容室へ案内する凹部を区画する傾斜面とを有する鮎釣用曳舟。」
第３　当審拒絶理由の概要
　当審が通知した拒絶理由の概要は、以下のとおりである。
（理由１）
　本件出願の請求項１ないし４に係る発明は、その出願前日本国内または外国において頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　引用文献１：特開２０１０−２２６９９０号公報
（理由２）
　本件出願は、特許請求の範囲の記載が不備のため、特許法第３６条第６項第２号に規定する要件を満たしていない。
第４　引用文献の記載及び引用発明
　上記引用文献１（特開２０１０−２２６９９０号公報）には、以下の事項が記載されている（審決で下線を付した。）。
　１　「【技術分野】
【０００１】
　本発明は、
魚を入れるための釣り用魚入れ容器
【背景技術】
【０００２】
　従来から、
おとり缶や引き舟などの釣り用魚入れ容器
【０００３】
　しかしながら、魚を閉塞板に押し当てながら投入すると、魚が閉塞板の上を滑って思わぬ方向を向いてしまうことがあり、魚が投入口から逸れて逃げてしまう場合がある。
【０００４】
　そのため、一対の閉塞板を投入口の左右に開く観音開きの形態で設け、左右両側の閉塞板の合わせ目部分に落とし込み用の窪みを形成した魚入れ容器が提案されている（例えば、特許文献１および特許文献２参照）
【先行技術文献】
【特許文献】
【０００５】
【特許文献１】実開平７−１７０７７号
【特許文献２】特開平８−２３８５０号」
　２　「【発明が解決しようとする課題】
【０００６】
　しかしながら、
投入口の大きさに対して小さい窪みを閉塞板の合わせ目部分に沿って設けただけでは、魚を投入口のいたる場所から観音開きの開口へと確実に誘導できるとは限らず
【０００７】
　
本発明は前記事情に着目してなされたものであり
　３　「【課題を解決するための手段】
【０００８】
　前記課題を解決するために、請求項１に記載された発明は、
一端側が回動可能に支持され他端側が開放される開放端となって閉塞方向に付勢される閉塞板を有する投入口を設けた釣り用魚入れ容器において、前記閉塞板は
他端側の上面が略全体にわたって左右両側から中央側に向けて凹状に傾斜する傾斜面を有する
【０００９】
　この請求項１に記載の釣り用魚入れ容器によれば、一部の従来技術のように
閉塞板上面の中央部の一部だけに窪みを設けるのではなく
開放端側の上面が略全体にわたって左右両側から中央側に向けて凹状に傾斜する傾斜面を有するため、この傾斜面によって魚を閉塞板の左右方向の中央側へとスムーズに且つ確実に誘導でき、魚を投入口から安全に容器内に投入することができる
【００１０】
　なお、上記構成において、閉塞板の「前後方向」とは、投入口に設けた閉塞板の回動端部から開放端の方向で魚を差し入れる方向を意味し、また、「左右」とは閉塞板の前後方向に対して直交する方向を意味し、また、「中央」とは左右方向での投入口の略中間位置のことである。また、「凹状」とは、直線状の凹状形態および湾曲状の凹状形態の両方を含む。」
　４　「【発明を実施するための形態】
【００１８】
　以下、本発明に係る釣り用魚入れ容器の実施形態について、添付図面を参照して説明する。
　図１〜図４には本発明の第１の実施形態に係る釣り用魚入れ容器１が示されている。本実施形態の
釣り用魚入れ容器１は引き舟として構成されている
【００１９】
　図示のように、
引き舟としての釣り用魚入れ容器１は容器本体２を備えている
容器本体２は、上面部２ａと、底面部２ｂと、前面部２ｃと、側面部２ｄと、後面部２ｅとを有しており、魚を収納するための収納部Ｓを内部に形成している
容器本体２の前側（船首側）の上面部２ａには、容器内の魚を取り出すための魚取り出し口５が形成されており、この魚取り出し口５には、蓋体１２が、魚取り出し口５の後側（船尾側）に設けられたヒンジ６によって開閉可能に蝶着されている
　５　「【００２２】
　
蓋体１２には、船首、船尾方向の引き舟の前後方向を長手方向とする略楕円形の投入口４が形成されており、この投入口４には一対の閉塞板３，３が開閉可能に設けられている
これらの閉塞板３，３は、投入口４の前側（船首側）に設けられたヒンジ（回動部としての蝶番）１５によってその長手方向（前後方向）の一端（前端）側にある回動端部２９が回動可能（開閉可能）に蝶着支持されており、ヒンジ１５を中心にその長手方向の他端（後端）側の開放端１９を収納部Ｓ内へ向けて下向きに開放させることができるようになっている
【００２３】
　また、
閉塞板３，３は閉塞方向に付勢されている
閉塞板３，３の回動端部２９が、ヒンジ１５の回動軸部に巻装された付勢手段としてのバネ３５によって常時閉じる方向（上向き）へ付勢されている
【００２４】
　また、本実施形態において、
閉塞板３，３は、その前後方向の少なくとも一部の上面が略全体にわたって左右両側（左右両端）から中央側に向けて凹状に傾斜する傾斜面３ａを有している
閉塞板３，３における投入口４の前後方向（投入口４に設けた閉塞板３，３の回動端部２９から開放端１９の方向）の中間位置Ｌ１よりも後方側（開放端１９側）に投入口４の最大幅部（左右方向の寸法が最大の部分）を設け、投入口４のうち魚を収納部Ｓ内に落し込む側となる少なくともこの後方側の投入口４内側の上面の略全体に傾斜面３ａが設けられていればよい
【００２５】
　図４に明確に示されるように、
傾斜面３ａは、閉塞板３の左右両端である投入口内側縁部（側端部）３９から投入口４の左右方向の中央位置Ｌ３にある中央部４９へ向けて収納部Ｓ内方へと下向きに凹状に延びる湾曲線Ｃを描くように形成されている
傾斜面３ａは
閉塞板３，３の回動端部２９近傍
を起点として開放端１９まで下向きに傾斜して延在している
【００２６】
　また、本実施形態において、
閉塞板３，３の開放端１９と対向する投入口４の開口縁部分、具体的には、容器本体２の上面部２ａの投入口４を形成する開口縁に沿って形成された収納部Ｓに向かう壁部には、投入口４の開口が魚入れ容器の内方（収納部Ｓ内）に向かって広がるように傾斜面２２が形成されている
傾斜面２２の上縁部２３は、上面部２ａよりも上方に鍔状に突き出て形成されており、傾斜面２２の延在長さを稼いでいる
【００２７】
　以上説明したように、本実施形態の釣り用魚入れ容器１は、
閉塞板３，３の長手方向の少なくとも一部の上面が略全体にわたって左右両側から中央側に向けて凹状に傾斜する傾斜面３ａを有するため、この傾斜面３ａによって閉塞板３，３の上面に開放端１９側に頭を向けて当てがった魚を閉塞板３，３の左右方向の中央側へとスムーズに且つ確実に誘導でき、魚を投入口４から安全に容器内に投入することができる
閉塞板３，３は、その前後方向の一端側が回動可能に支持されているため、閉塞板３，３の左右方向の中央側へ誘導された魚をそのまま回動端部２９側から開放端１９まで延設された傾斜面３ａの回動端部２９側から開放端１９方向に下る傾斜面に誘導されて投入口４の後方側の開放端１９方向に進行するように滑り込ませて閉塞板３，３の開放端１９から容器内へ投入することができる
閉塞板３，３の開放端１９と対向する投入口４の部分が該投入口４の開口を魚入れ容器の内方に向けて広げるように傾斜する傾斜面２２として形成されているため、閉塞板３，３の開放端１９側に誘導された魚をこの傾斜面２２に当てて（傾斜面２２に沿わせて）容器内へとスムーズに誘導（投入）することができる
　６　図１は次のものである。
　７　図２は次のものである。
　８　図３は次のものである。
　９　図４は次のものである。
　１０　図１及び図２から、閉塞板３，３に設けられる傾斜面３ａは、投入口４を閉鎖する閉鎖姿勢において、解放端１９側に向かって傾斜するように形成されることが看て取れる。
　１１　図１及び図３から蓋体１２は環状である点が看て取れる。
　１２　図２及び図３から、閉塞板３，３は、投入口４の前側（船首側）に、左右方向に対して、前側から後側に向かって末広がりとなるハの字型に傾斜して設けられたヒンジ（回動部としての蝶番）１５によってその長手方向（前後方向）の一端（前端）側にある回動端部２９が回動可能（開閉可能）に蝶着支持されており、容器本体２の前後方向を基準に左右対称に回動することによって投入口４を開放する開放姿勢と上記投入口４を閉鎖する閉鎖姿勢との間で姿勢変化する点が看て取れる。
　前記閉塞板３，３は、前側から後側に向かって末広がりとなるハの字型に傾斜して設けられた前記ヒンジで左右対称に回動することによって、前側に対して後側である他端側が左右に大きく開く観音開き式の開放姿勢となる。
　このような開放姿勢は、引用文献１において、先行技術文献として例示されている、特開平８−２３８５０号公報の【００１３】に、「さて、魚投入口（５）の船首側端部（５ｂ）には前述のように一対の魚投入扉（１０）が扉用蝶番（１２）にて蝶着されており、船内側に向けて観音扉状に開く事が出来るようになっている。扉用蝶蝶番（１２）の取り付け方向は、図２からも分かるように一対の魚投入扉（１０）の合わせ目（Ｌ）に対して傾斜して取り付けられており、さらに図３１（註：１は○囲い）から分かるように魚投入扉（１０）の上面よりＨだけ高い位置に扉用蝶番（１２）が形成されている。」、【００１６】に、「また、前述のように魚投入扉（１０）の上面よりＨだけ高い位置に扉用蝶番（１２）が形成されているので、図３１（註：１は○囲い）に示すように、魚投入扉（１０）の先端と扉用蝶番（１２）とを結ぶ直線が扉用蝶番（１２）を結ぶ水平線に対して船内側に倒れこむ事になり、その結果、魚投入扉（１０）は少し船内側に向かって押し込まれるだけで大きく開くことになり、より開き易くなって魚（１３）の船内側への滑り込みがより確実に行われる事になる。」と記載されて、傾斜して設けられたヒンジによって蝶着される場合にも、回動することによって「観音扉状に開く」と呼ばれている例にも見られるとおり、観音開き式に姿勢変化するものといえる。
　１３　上記１ないし１２からみて、引用文献１には、次の発明（以下「引用発明」という。）が記載されていると認められる。
（引用発明）
「おとり缶や引き舟として構成される釣り用魚入れ容器であって、
　容器本体２を備え、
　当該容器本体２は、上面部２ａを有し、収納部Ｓが内部に形成されており、
　前記上面部２ａには、環状の蓋体１２によって閉蓋される魚取り出し口５が形成されており、
　前記蓋体１２には、投入口４が形成されるとともに、一対の閉塞板３，３が開閉可能に設けられており、
　当該閉塞板３，３は、投入口４の前側に、左右方向に対して、前側から後側に向かって末広がりとなるハの字型に傾斜して設けられたヒンジ１５によってその回動端部２９が回動可能に蝶着支持されており、容器本体２の前後方向を基準に左右対称に回動することによって、前側に対して後側である他端側が左右に大きく開き観音扉状に投入口４を開放する開放姿勢と、前記投入口４を閉鎖する閉鎖姿勢との間で観音開き式に姿勢変化するものであり、また、当該閉塞板３，３は、少なくとも前記投入口４の前後方向の中間位置Ｌ１よりも後方側（開放端１９側）の上面の略全体に傾斜面３ａが設けられ、
　当該傾斜面３ａは、閉鎖姿勢時に、開放端１９に向かって下向きに傾斜して形成されるとともに、左右両側から中央側に向けて凹状に傾斜するように形成され、
　前記蓋体１２の投入口４を形成する、投入口４のうちの後端側にある開口縁には、投入口４の開口が魚入れ容器の内方（収納部Ｓ内）に向かって広がるように傾斜面２２が形成され、
　前記閉塞板３，３の開放端１９側の傾斜面３ａに誘導された魚が前記傾斜面２２に当たり容器内へと誘導される釣り用魚入れ容器」
第５　対比・判断
　１　対比
　本願発明と引用発明を対比すると、以下のとおりとなる。
　引用発明における「引き舟として構成される釣り用魚入れ容器」に備えられ、「魚取り出し口５」が形成された「上面部２ａを有し、収納部Ｓが内部に形成され」ている「容器本体２」は、本願発明における「内部に収容室が区画され且つ上記収容室に連通する開口が上面に設けられた曳舟本体」に相当する。
　引用発明における「魚取り出し口５」を閉蓋し、前記「魚取り出し口５」および前記「収納部Ｓ」に対して魚を入れる「投入口４」が形成された「環状の蓋体１２」と、本願発明において「上記開口の位置に設けられ、上記開口及び上記収容室に連通する鮎挿入口が形成された環状の蓋体」とは、「上記開口の位置に設けられ、上記開口及び上記収容室に連通する魚挿入口が形成された環状の蓋体」の点で共通する。
　引用発明における「蓋体１２」に形成され、「投入口４の前側に、左右方向に対して、前側から後側に向かって末広がりとなるハの字型に傾斜して設けられたヒンジ１５によってその回動端部２９が回動可能に蝶着支持されており、容器本体２の前後方向を基準に左右対称に回動することによって、前側に対して後側である他端側が左右に大きく開き観音扉状に投入口４を開放する開放姿勢と、前記投入口４を閉鎖する閉鎖姿勢との間で観音開き式に姿勢変化する」「閉塞板３，３」と、本願発明において「上記蓋体に設けられ、上記曳舟本体の前後方向を基準に左右対称に回動することによって上記鮎挿入口を開放する開放姿勢と上記鮎挿入口を閉鎖する閉鎖姿勢との間で観音開き式に姿勢変化する第１扉部材および第２扉部材を有する扉」とは、「上記蓋体に設けられ、上記曳舟本体の前後方向を基準に左右対称に回動することによって上記魚挿入口を開放する開放姿勢と上記魚挿入口を閉鎖する閉鎖姿勢との間で観音開き式に姿勢変化する第１扉部材および第２扉部材を有する扉」の点で共通する。
　引用発明における「閉塞板３，３」が、「閉鎖姿勢時に、開放端１９に向かって下向きに傾斜して形成されるとともに、左右両側から中央側に向けて凹状に傾斜するように形成され」ることは、本願発明における「上記第１扉部材および上記第２扉部材が上記閉鎖姿勢であるときに上記扉の上面に前方から後端に向かって漸次上記収容室側へ傾斜する案内凹面が形成され」に相当する。
　引用発明における「蓋体１２の投入口４を形成する、投入口４のうちの後端側にある開口縁には、投入口４の開口が魚入れ容器の内方（収納部Ｓ内）に向かって広がるように傾斜面２２が形成され」は、本願発明における「上記蓋体の後端部は、上記案内凹面上に迫り出したひさしを形成し」に相当する。
　引用発明における「開放端１９に向かって下向きに傾斜して形成されるとともに、左右両側から中央側に向けて凹状に傾斜するように形成され」、「魚が前記傾斜面２２に当たり容器内へと誘導される」「閉塞板３，３の開放端１９側の傾斜面３ａ」と、本願発明において「漸次上記収容室側に向かって後端側へ傾斜すると共に上記第１扉部材と上記第２扉部材とが対向する対向面側へ傾斜し、上記蓋体の後端部と協働して鮎を保持しつつ上記収容室へ案内する凹部を区画する傾斜面」とは、「漸次上記収容室側に向かって後端側へ傾斜すると共に上記第１扉部材と上記第２扉部材とが対向する対向面側へ傾斜し、上記蓋体の後端部と協働して魚を保持しつつ上記収容室へ案内する凹部を区画する傾斜面」で共通している。
　また、引用発明における「閉塞板３，３」が「少なくとも前記投入口４の前後方向の中間位置Ｌ１よりも後方側（開放端１９側）の上面の略全体に傾斜面３ａが設けられ、当該傾斜面３ａは、閉鎖姿勢時に、開放端１９に向かって下向きに傾斜して形成されるとともに、左右両側から中央側に向けて凹状に傾斜するように形成され」ることと、本願発明において「案内凹面は、水平に延びる平坦面と、当該平坦面に連続して漸次上記収容室側に向かって後端側へ傾斜すると共に上記第１扉部材と上記第２扉部材とが対向する対向面側へ傾斜し、上記蓋体の後端部と協働して鮎を保持しつつ上記収容室へ案内する凹部を区画する傾斜面とを有する」ことは、第１扉部材および第２扉部材の「後端側に漸次上記収容室側に向かって後端側へ傾斜すると共に上記第１扉部材と上記第２扉部材とが対向する対向面側へ傾斜し、上記蓋体の後端部と協働して魚を保持しつつ上記収容室へ案内する凹部を区画する傾斜面とを有する」点で共通する。
　以上より、本願発明と、引用発明とは、
「内部に収容室が区画され且つ上記収容室に連通する開口が上面に設けられた曳舟本体と、
　上記開口の位置に設けられ、上記開口及び上記収容室に連通する魚挿入口が形成された環状の蓋体と、
　上記蓋体に設けられ、上記曳舟本体の前後方向を基準に左右対称に回動することによって上記魚挿入口を開放する開放姿勢と上記魚挿入口を閉鎖する閉鎖姿勢との間で観音開き式に姿勢変化する第１扉部材および第２扉部材を有する扉とを備え、
　上記第１扉部材および上記第２扉部材が上記閉鎖姿勢であるときに上記扉の上面に前方から後端に向かって漸次上記収容室側へ傾斜する案内凹面が形成され、
　上記蓋体の後端部は、上記案内凹面上に迫り出したひさしを形成し、
　上記案内凹面は、第１扉部材および第２扉部材の後端側に、
　漸次上記収容室側に向かって後端側へ傾斜すると共に上記第１扉部材と上記第２扉部材とが対向する対向面側へ傾斜し、上記蓋体の後端部と協働して魚を保持しつつ上記収容室へ案内する凹部を区画する傾斜面とを有する魚釣用曳舟。」
で一致し、以下の点で相違する。
［相違点１］
　「魚」について、本願発明は、「鮎」を対象としているのに対し、引用発明では、「鮎」を対象とすることを特定していない点。
［相違点２］
　本願発明は、案内凹面が「水平に延びる平坦面」を有し、当該平坦面に連続して「漸次上記収容室側に向かって後端側へ傾斜する傾斜面」とを有する構成を具備しているのに対し、引用発明では、閉塞板３，３のうち、投入口４において魚を収納部Ｓ内に落し込む側となる後方側の上面に傾斜面３ａが設けられているものの、閉塞板３，３の前方側の上面がどのように形成されるのか特定されていない点。
　２　判断
（１）相違点１について
　おとり缶や引き舟として構成される釣り用魚入れ容器を鮎を対象に使用することは技術常識であり、相違点１は実質的な相違点ではない。
　また、例えば引用文献１の【０００５】に記載された先行技術文献（実願平５−４８０４５号（実開平７−１７０７７号）のＣＤ−ＲＯＭ（【０００２】、【００２１】参照）、特開平８−２３８５０号公報（【０００３】参照））にも見られるように、鮎釣りの場合において、曳舟として構成される釣り用魚入れ容器を用いることは周知技術であり、引用発明において、おとり缶や引き舟として構成される釣り用魚入れ容器を使用する際に、魚として鮎を対象とすることは、当業者が容易に想到し得たことである。
（２）相違点２について
　引用発明において、傾斜面が設けられる部分以外がどのような形状に形成されるかを検討する。引用文献１は、【０００６】に記載されたように「投入口の大きさに対して小さい窪みを閉塞板の合わせ目部分に沿って設けただけでは、魚を投入口のいたる場所から観音開きの開口へと確実に誘導できるとは限らず、窪みに合わせて魚を正確に押し当てなければ、結局のところ、魚が閉塞板の上を滑って思わぬ方向を向いてしまう可能性が依然として残る。」という課題を解決するものであり、また、引用文献１の【０００９】には、「一部の従来技術のように閉塞板上面の中央部の一部だけに窪みを設けるのではなく、閉塞板の少なくとも開放端側の上面が略全体にわたって左右両側から中央側に向けて凹状に傾斜する傾斜面を有するため、この傾斜面によって魚を閉塞板の左右方向の中央側へとスムーズに且つ確実に誘導でき、魚を投入口から安全に容器内に投入することができる」と記載されている。
　そして、【０００５】に記載された先行技術文献（実願平５−４８０４５号（実開平７−１７０７７号）のＣＤ−ＲＯＭ（図１ないし図３参照）、特開平８−２３８５０号公報（図２ないし図５参照））は、いずれも平面を有する閉塞板の一部に凹部が設けられた曳舟が示されていることから、引用文献１は、上記課題に対して閉塞板上において、所定の形状の傾斜面を後端側に設けることにより解決するものであると認められる。そうすると、閉塞板において後端側に設ける傾斜面よりも前方を、引用文献１が前提とする従来技術のとおり水平な平坦面とすることは、当業者が容易に想到し得たことである。
（３）小括
　したがって、本願発明は、引用文献１に記載された発明に基いて、当業者であれば容易になし得たものであるから、特許法第２９条第２項の規定により、特許を受けることができない。
（４）請求人の主張について
　ア　審判請求書（「三　本願発明が特許されるべき理由　［３］拒絶の理由に係る争点」の「（２）そこで、この点について、出願人は、以下のとおり反論する。」）において、以下の主張がされている。
（ア）「出願当初の請求項１に係る発明と引用文献との相違点は、上記扉に形成された「案内凹面」の形状である。審査官は、この案内凹面に相当するものが引用文献にも記載されているとの心証を形成されるが、本願発明の案内凹面は、当該案内凹面が区画する空間の内側に鮎が配置され且つ鮎の鼻先が案内凹面の奥側に向けられることによって、鮎が自重により収容室へ落下するに十分な深さを有するのに対し、引用文献には、そのような作用・機能を奏するような凹部が開示も示唆もされておらず、本願発明の案内凹面は、その点において引用文献に記載されたものと本質的に異なるのである。」
（イ）「同時に出願人は、「案内凹面」に「平坦面」が形成されている点に引用文献との違いがあることを主張した。鮎釣りにおいて、鮎を前述（上記特有の動作）のように扱うからこそ、上記「平坦面」の存在によって、鮎を掴んだ手を案内凹面に押し当てる動作がより容易になる、というさらなる作用効果が奏される。なお、面接において審査官も、この「平坦面」の限定について理解をした。」
　これらの主張について検討する。
　（ア）および（イ）については、上記（２）で検討したとおり、閉塞板において解放端側に設けられる傾斜面よりも前方を、引用文献１が前提とする従来技術のとおり水平な平坦面とすることは、当業者が容易に想到し得たことである。したがって、上記主張は採用できない。
　イ　平成３１年４月１２日の意見書（「三　審判請求人の主張（特許法第２９条第２項の要件の充足性）」の「（１）判断の留意点」、「（２）本願発明についての判断」）において、以下の主張がされている。
「さて、本願発明の進歩性に関する審判官のご判断には、引用文献に開示された内容、すなわち「閉塞板３、３の長手方向の少なくとも一部の上面が略全体にわたって左右両側から中央側に向けて凹状に傾斜する傾斜面３ａを有する」との記載から、直ちに「平坦面」の存在が強く示唆されている、との解釈が存在します。
　しかしながら、鮎釣りの実釣では、平成３０年４月３日提出の審判請求書にも記載されているとおり、鮎を鮎釣用曳舟の収容室へ落下させる操作については、釣人が片手で鮎の頭部、背部、腹部を囲繞するように握ると共に、親指で鮎の片目を塞いで安静にさせ、当該鮎を掴んだ手を扉に当てて当該扉を開きながらそのまま手を放すという特有の動作が行われます。かかる動作を前提とすると、釣人は鮎を掴んだ指を伸ばして扉を開けることができず、鮎を掴んだままその手を扉に押し当てて扉を開けることになります。この場合、引用文献に記載されている「傾斜面３ａ」のみでは、この傾斜面３ａが凹面であることから、鮎を掴んだ手を扉に当てて容易に且つ迅速に当該扉を開くことはできません。本願発明は、鮎を掴んだまま扉を容易且つ迅速に開くことを可能とするものです。
　引用文献には、鮎を曳舟に挿入する際の上記特有の動作を行うときに、扉をより簡単且つ迅速に開放するとの技術的課題の存在を示唆する記載はありません。そうすると、たとえ当業者といえども、かかる技術的課題の存在しない引用発明に基づいて、当該課題を解決するための上記「平坦面」を着想することは容易ではありません。
　すなわち、上記審判官のご判断は、引用文献を見て事後分析的に本願発明の技術的課題の存在を認定し、さらに、その課題を解決する手段をいわゆる後知恵的に認定したことに基づきます。そうであるなら、上記「平坦面」の容易想到性に関する審判官のご判断には誤りがあると言わざるを得ません。
　したがって、本願発明の特徴点である「平坦面」は、引用文献から決して容易に導かれるものではありません。」
　これらの主張についても、上記（１）および（２）に示したとおりであるから、請求人の主張は採用できない。
第６　むすび
　以上のとおり、本願発明は、引用文献１に記載された発明に基いて当業者が容易に発明をすることができたものであるから、特許法第２９条第２項の規定により特許を受けることができない。
　したがって、その余の請求項に係る発明について検討するまでもなく、また、他の当審拒絶理由について検討するまでもなく、本願は拒絶されるべきものである。
　よって、結論のとおり審決する。